(57)【要約】      （修正有）【課題】注射等に使用されるアンプルまたはバイエル、その他医療用薬液収納容器に収納された薬液のデータが記録されたＩＣチップを、複数回の注射等に使用できるようにすることによって、注射等医療行為に要するＩＣチップの費用を節約すると共に、医療行為管理システムの高度化をはかるタグシートを提供する。【解決手段】アンプルまたはバイエル等に収納された、薬液の成分のデータが記録されたＩＣチップ２を、剥離・再粘着が可能なタグシートに封入してアンプル等に粘着させて使用した後、タグシートを剥離してＩＣチップを取り出す。そのＩＣチップを次に使用する薬剤等のデータに書換後、次に使用するタグシートに挿入して注射等に使用することができる。この様にして同一のＩＣチップを複数回使用できるようにすることによって、高価なＩＣチップの費用の節約を計ることができる。【選択図】図１
0003163645.tif 000002
【実用新案登録請求の範囲】
【請求項１】
アンプルまたはバイエルその他医療用薬液収納容器１、該アンプル等１に収納された薬液のデータが記録されたＩＣチップ２、ＩＣチップ２をアンプル等１に取り付けて保持するためのタグシート３及び、ＩＣチップカバーフィルム４からなり、
タグシート３は中心部に円形のミシン目を有する部分８、その周囲４方にそれぞれ裏面に粘着剤塗布層５が設けられた矩形部分９及び、隣接する矩形部分と矩形部分との間の空間の一つに、中心部の円形ミシン目部分８に接続した剥離可能な把手６が形成され、
ＩＣチップ２は該円形のミシン目部分８と、ＩＣチップカバーフィルム４に設けられたディンプル７との間に挿入され、ＩＣチップカバーフィルム４のディンプルの周囲内面の円環状部分に塗布された粘着剤塗布層５とによって封入された状態に保持され、
アンプル等１に収納された薬液の使用後、把手６に接続した円形のミシン目部分８を剥離してＩＣチップ２を取り出し、次に使用するアンプル等１のテータに書き換えた後、次に使用するアンプル等１のタグシート３に挿入して再使用することにより、同一のＩＣチップ２が複数回使用可能となる、アンプルその他薬液収納容器の医療情報保持用タグシート。
【請求項２】
タグシート３の矩形部分９裏面の粘着剤塗布層５を介して、タグシート保持用剥離シート１０を貼付してなる、請求項１記載のアンプルその他薬液収納容器の医療情報保持用タグシート。
【請求項３】
ＩＣチップカバーフィルム４に設けられたディンプル７の内面に、粘着剤塗布層５を設けてなる請求項１または請求項２記載の、アンプルその他薬液収納容器の医療情報保持用タグシート。
【請求項４】
タグシート保持用剥離シート１０に、多数のアンプルその他薬液収納容器等の情報保持用タグシート３が、規則的に配列され粘着されてなる、請求項１〜３記載のアンプルその他、薬液収納容器の情報保持用タグシート３の原紙ロール。
【請求項５】
アンプルその他薬液収納容器の情報保持用タグシート３の、ロール状シート１１の個々の円形ミシン目部分８の上にＩＣチップ２を挿入後、ＩＣチップカバーフィルム４でカバーして取り付け、タグシート中心の円形部分から４方へ伸びた矩形部分９の裏面に設けた粘着剤塗布層５を介して、タグシート保持用剥離シート１０を貼付してなる、請求項１〜４記載の、アンプルその他薬液収納容器の情報保持用タグシート３のロール。
【考案の詳細な説明】
【技術分野】
【０００１】  本考案は病院等で使用される薬剤の中、特にアンプル及びバイエル等へのＩＣタグ装着を目的とし、高価なＩＣチップの繰り返し使用を可能とすることによってコスト低下をはかり、広範囲な用途にも適用可能な、アンプル及びバイエル等の情報保持用タグシートに関するものである。
【背景技術】
【０００２】  従来、病院内で入院患者に処方される薬剤は、患者の病状が変化する毎に医師の診断に基づいて、所要薬剤の処方箋がカルテ若しくは電子カルテに記載される。その処方に従って中央薬剤室よりアンプルやバイエル等が、薬剤自動払出装置（アンプルディスペンサー）によって、患者単位に各病棟のナースステーションに送付される。看護士はそれに従って、それぞれの患者への投薬処置を施している。【０００３】  現在はその投薬を確認するための標準的な方法として、看護士による処方のカルテと患者本人とを目視確認する方法によってなされている。しかし、現状では看護士一人あたりの受け持ち患者数が著しい増加傾向にある。特に最近では高齢者が急増している問題もあり、このためこれらの方法について関係者の間で、誤認・混同がおきるおそれが高まっている。そこで、誤認混同等の防止のため電子カルテ及びその他電子情報に連動した医療管理が要望されるようになっている。
【先行技術文献】
【特許文献】
【０００４】
【特許文献】特開２００６−２０６８５０号公報
【特許文献】特開２００８−１５２５９０号公報
【考案の概要】
【考案が解決しようとする課題】
【０００５】  アンプル等に収納された薬液を注射その他に使用した後、そのアンプル等をタグシートから剥離し、ＩＣチップのメモリーを次に使用するアンプル等の薬液のデータに書き換え、更に次に使用するタグシートにそのアンプル等を粘着させて注射等に使用する。このようにして、同一のＩＣチップの繰り返し使用を可能とすることによって、高価なＩＣチップに要する費用の節約を計る目的である。
【課題を解決するための手段】
【０００６】  本考案は注射器等の使用後、アンプル等のタグシートからＩＣチップを剥離して、そのメモリーを次に使用する薬液のデータに書き換えた後、そのＩＣチップを次に使用するアンプルに取り付けて再使用することを可能とする。このようにして同一のＩＣチップを複数回使用することができる、アンプル等薬液収納容器の医療情報保持用タグシートの開発に関するものである。【０００７】  アンプル等薬液収納容器の医療情報保持用タグシートは、次のような構成を有するものである。すなわち、アンプルまたはバイエルその他医療用薬液収納容器及び、該アンプル等に収納された薬液のデータが記録されたＩＣチップの他、ＩＣチップをアンプル等に取り付けて保持するためのタグシート及び、ＩＣチップカバーフィルムからなっている。【０００８】  タグシートは中心部に円形のミシン目を有する部分８及び、その周囲の四方にそれぞれ裏面に粘着剤塗布層５が設けられた矩形部分９からなっている。更に、隣接する矩形部分と矩形部分との間の４分円状の空間の一つには、中心部の円形のミシン目部分８に接続した剥離可能な把手６が取り付けられている。ＩＣチップはその中心部の円形のミシン目部分８と、ＩＣチップカバーフィルムに設けられているディンプル７との間に挿入されている。【０００９】  アンプル等に収納された薬液を注射その他に使用した後、前記の把手６に接続した円形のミシン目部分８を剥離してＩＣチップ２が取り出され、そのＩＣチップのメモリーは次に使用するアンプル等のデータに書き換えられる。更にＩＣチップは次に使用する、新たなアンプル等のタグシートに挿入されて再使用することによって、同一のＩＣチップを複数回使用することができる構成となっている。【００１０】  ここで、このＩＣチップカバーフィルムのディンプル７の内面に、粘着剤塗布層を設けた態様も本考案に含まれている。これは前記のように、アンプル等に収納された薬液を注射その他に使用した後、把手６に接続した円形のミシン目部分８を剥離して、ＩＣチップを取り出す操作の際、ＩＣチップが脱落して紛失するおそれを防止するためである。ディンプルの内面に粘着剤塗布層５を設ければ、ＩＣチップはその粘着剤塗布層に粘着されているため、剥離して回収すればＩＣチップの脱落による紛失を防止することができるからである。【００１１】  本考案のアンプル等薬液収納容器の医療情報保持用タグシートを、アンプルへ取り付けるには、例えば図４に示すように、アンプルを倒立させた状態で、その底面の上にタグシートを重ねて接触した状態とする。更にタグシート３の周囲四方に伸びた矩形部分９を、アンプル１の本体に沿って包み込むように折り曲げて、それぞれの内面の粘着剤塗布層５を、アンプル１の表面に粘着させることによって、タグシートをアンプルに固定することができる。その後、アンプルは通常使用し易いように立てた状態で保存される場合が多い。【００１２】  またタグシート保持用剥離シート１０を、粘着剤塗布層５が露出しているアンプルその他薬液収納容器の情報保持用タグシートの裏面に粘着させれば、タグシートをアンプル等に取り付けて使用する迄の期間、粘着剤塗布層５を含むタグシートの裏面全体を被覆した状態で保持するこ���ができる。タグシート保持用剥離シート１０には例えば、粘着剤塗布層への粘着・剥離・再粘着が可能な、ポリエチレン・ラミネート紙等が使用可能である。【００１３】  更に、本考案にはロール状のタグシート保持用剥離シート１０に、多数の薬液収納容器の情報保持用タグシート３が、規則的に貼付されているロール状の原紙も含まれている。【００１４】  前記のロール状原紙のタグシート３の、中心部の円形のミシン目部分８に、ＩＣチップカバーフィルム４を取り付け、円形のミシン目部分８と、ＩＣチップカバーフィルム４に設けられたディンプル７との間に、それぞれＩＣチップ２が挿入される。また、タグシートの中心の円形部分８から四方へ伸びた矩形部分９の裏面には剥離、再粘着が可能な粘着剤塗布層５が設けられている。これらのアンプルその他薬液収納容器の情報保持用ダグシート３の、タグシート保持用剥離シート１０を粘着剤塗布層５を介して積層させ、ロール状に巻き取ることができる。この様にして得られた、本件考案のアンプルその他薬液収納容器の情報保持用タグシートのロール状のシート１１も本考案に含まれている。
【考案の効果】
【００１５】  注射器のアンプル等に収納された、薬液に関するテータが記録されたＩＣチップを、タグに取り付けて使用する場合に、高価なＩＣチップを複数回使用することを可能としたことによって、その費用の節約を計ることができる。また、これらの記録を利用して薬液等の処方履歴の管理情報を正確に記録・保存することも可能となる。このようなシステムによって薬剤の誤投与防止が可能となり、医療ミスの防止に資することができる。
【図面の簡単な説明】
【００１６】
【図１】アンプルその他薬液収納容器の情報保持用タグシートの平面図である。（ａ）は正面図であり、（ｂ）は背面図である。
【図２】ＩＣチップカバーフィルムを示す。（ａ）は正面図であり、（ｂ）は断面図、（ｃ）は背面図である。
【図３】タグシート保持用の剥離シートに、タグシートを貼付した状態を示す。
【図４】アンプルの上部に、アンプルその他薬液収納容器の情報保持用タグシート３を取り付けた態様を示す。尚、情報保持用タグシート３の部分のみその構造を分り易くするため断面図で示した。
【図５】ＩＣチップ保持用剥離フィルムの原紙ロールの斜視図を示す。
【図６】図５に示した情報保持用タグシートの原紙ロールに、ＩＣチップ２及びＩＣチップカバーフィルム４を取り付けた、本考案のアンプルその他薬液収納容器の情報保持用タグシートの製品ロールの斜視図を示す。
【考案を実施するための形態】
【００１７】  ＩＣチップをタグシートに取り付ける場合、タグシートとＩＣチップカバーフィルムとの粘着層によって形成されたディンプルに挿入して保持されている。タグシートには円形のミシン目が設けられているため、使用後このミシン目を破ってＩＣチップを取り出すことができる。このため、同一のＩＣチップを複数回使用することがが可能となる。
【実施例１】
【００１８】  本件考案のアンプルその他薬液収納容器の医療情報保持用タグシート３は、次のように構成されている。アンプルまたはバイエル等の医療用薬液収納容器１及び、アンプル等に収納された薬液に関するデータが記録されたＩＣチップ２、ＩＣチップをアンプル等に取り付けて保持するためのタグシート３からなっている。ここで、ＩＣチップ２はアンプルその他薬液収納容器の情報保持用タグシート３と、粘着剤塗布層を介して粘着したＩＣチップカバーフィルム４との層間のディンプル７に挿入されている。【００１９】  このアンプル等に収納された薬液を注射等に使用後、アンプルはタグシートとの粘着剤塗布層５の部分から剥離して取り出される。次にＩＣチップ２のメモリーを次回に使用するアンプル等の薬液に関するデータに書換後、新たなタグシート３に挿入される。更にこのこのタグシート３を、次に使用するアンプル等に粘着させることにより、新たなアンプル等の使用が可能となる。【００２０】  すなわち、次回に使用するアンプル等１の底面に、ＩＣチップ２がその内部に保持されているタグシート３の円形部８の外面を接触させた状態として、タグシートの複数の矩形部分９でアンプル等１を包むように覆って、その粘着剤塗布層５をアンプル等１の外面に粘着された状態とする。この様にしてこのアンプルを注射等に使用すれば、アンプルその他薬液収納容器の医療情報保持用タグシート３に貼付された、同一のＩＣチップ２をが繰り返し使用することが可能となる構成である。【００２１】  その他の、アンプル等１をタグシート３に取り付ける場合には、例えば、タグシート３を裏返してその中心の円形部分８の外面に、アンプル等１を立てた状態とする。次に、タグシート３の周囲の四方に伸びている矩形部分９で、アンプル１の本体を包むようにアンプルの表向に沿って折り曲げる。更にそれぞれの粘着剤層５をアンプル等１の外面に粘着させることによって、アンプル等１をタグシート３に取り付けることができる。
【実施例２】
【００２２】  図５には、アンプルその他薬液収納容器の情報保持用タグシート３の、保持用剥離シートのロール状原紙に、多数の薬液収納容器の情報保持用タグシート３が、規則的に配列して貼付されているロールが示されている。【００２３】  更に、図６には図５で示された情報保持用タグシートのロール状原紙に貼付されている、個々の薬液収納容器の情報保持用タグシート３に、ＩＣチップ２及び粘着剤塗布層５を介して、ＩＣチップカバーフィルム４を取り付けた、アンプルその他薬液収納容器の情報保持用タグシート３のロールが示されている。【００２４】  前記のアンプルその他薬液収納容器の医療情報保持用タグシートのベースであるロール状原紙に、多数形成されているタグシート３は、中心部が円形８で、その周囲の四方にそれぞれ矩形部分９が付加された形状を有している。その中心の円形部分には円形のミシン目８が設けられている。このミシン目の円形部分は把手６に接続されているため、把手６を剥離すると円形部分８も同時に剥離され、ディンプル７の内部に収納されているＩＣチップ２を取り出すことができる。ここで、ディンプル７の内面には粘着剤塗布層５を設けることも可能である。ＩＣチップ２をディンプル内面の粘着剤塗布層に粘着して保持すれば、ＩＣチップ２を取り出す時の脱落による紛失を防止することもできる。【００２５】  ダグシートの中心部の円形８から四方に伸びている、矩形部分９の裏面にはそれぞれ粘着剤が塗布された粘着剤塗布層５が設けられている。尚、この状態では粘着剤塗布層５が露出さているため、このタグシート保護のためその粘着剤塗布面に重ねて、タグシート保持用剥離シート１０が貼付されている。要すればこのタグシート保持用剥離フィルム１０に、個々のタグシート毎に、その周囲の縦横にミシン目が設けることもできる。このようにすれば、本考案の医療情報保持用タグシートを容易に個々に分離して使用することもできる。このタグシート保持用剥離シート１０としては、例えばポリエチレンラミネート紙等が使用可能であり、粘着剤の塗布層から剥離後再粘着により、繰り返し粘着させて使用することも可能である。
【産業上の利用の可能性】
【００２６】  本考案によって、注射器のアンプル等に収納された薬液に関する、データ等が記録されたＩＣチップのタグを取り付けて使用する場合、高価なＩＣチップの複数回使用を可能とすることができ、これによってその費用の節約を計ることができる。また、薬液等の患者毎の処方履歴等の管理情報の正確な記録及び確認によって、誤投与の防止による医療ミス等の予防が可能となる。更にこれらの処置による医療行為管理システム高度化の一助ともなり得る。
【符号の説明】
【００２７】１  アンプル、バイエルその他医療用薬液収納容器
２  ＩＣチップ
３  アンプルその他薬液収納容器の情報保持用タグシート
４  ＩＣチップカバーフィルム
５  粘着剤塗布層
６  タグシート中心部の円形ミシン目部分８に接続した剥離可能な把手
７  ＩＣチップカバーフィルムのディンプル
８  タグシート中心部の円形ミシン目部分
９  タグシート中心の円形部分から４方へ伸びた矩形部分
１０  タグシート保持用のロール状剥離シート
１１  アンプルその他薬液収納容器の情報保持用タグシートのロール状シート
【図１】
0003163645.tif 000003
【図２】
0003163645.tif 000004
【図３】
0003163645.tif 000005
【図４】
0003163645.tif 000006
【図５】
0003163645.tif 000007
【図６】
0003163645.tif 000008
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
アンプルまたはバイエルその他医療用薬液収納容器（以下、「アンプルまたはバイエルその他医療用薬液収納容器」を「アンプル等」という）１、該アンプル等１に収納された薬液のデータが記録されたICチップ２、ICチップ２をアンプル等１に取り付けて保持するためのタグシート３及び、ICチップカバーフィルム４からなり、
タグシート３は中心部に円形のミシン目を有する部分８、その周囲４方にそれぞれ裏面に粘着剤塗布層５が設けられた矩形部分９及び、隣接する矩形部分と矩形部分との間の空間の一つに、中心部の円形ミシン目部分８に接続した剥離可能な把手６が形成され、
ICチップ２は該円形のミシン目部分８と、ICチップカバーフィルム４に設けられたディンプル７との間に挿入され、ICチップカバーフィルム４のディンプルの周囲内面の円環状部分に塗布された粘着剤塗布層５とによって封入された状態に保持され、
アンプル等１に収納された薬液の使用後、把手６に接続した円形のミシン目部分８を剥離してICチップ２を取り出し、次に使用するアンプル等１のデータに書き換えた後、次に使用するアンプル等１のタグシート３に挿入して再使用することにより、同一のICチップ２が複数回使用可能となる、アンプルその他薬液収納容器の医療情報保持用タグシート。
【請求項２】
タグシート３の矩形部分９裏面の粘着剤塗布層５を介して、タグシート保持用剥離シート１０を貼付してなる、請求項１記載のアンプルその他薬液収納容器の医療情報保持用タグシート。
【請求項３】
ICチップカバーフィルム４に設けられたディンプル７の内面に、粘着剤塗布層５を設けてなる請求項１または請求項２記載の、アンプルその他薬液収納容器の医療情報保持用タグシート。
【請求項４】
アンプルその他薬液収納容器の情報保持用タグシート３を、規則的に配列して粘着させしめることが可能な、請求項１〜３の何れか１項に記載の、薬液収納容器の医療情報保持用タグシート粘着用のロール状剥離シート原紙。
【請求項５】
アンプルその他薬液収納容器の情報保持用タグシート３の、ロール状シート１０の個々の円形ミシン目部分８の上にICチップ２を挿入後、ICチップカバーフィルム４でカバーして取り付け、タグシート中心の円形部分から四方へ伸びた矩形部分９の裏面に設けた粘着剤塗布層５を介して、タグシート保持用剥離シート原紙１０に貼付せしめてなる、請求項１〜４の何れか１項に記載の、アンプルその他薬液収納容器の医療情報保持用タグシート貼付ロール。
【手続補正書】
【提出日】平成22年7月6日(2010.7.6)
【手続補正１】
【補正対象書類名】実用新案登録請求の範囲
【補正対象項目名】全文
【補正方法】変更
【補正の内容】
【実用新案登録請求の範囲】
【請求項１】
アンプルまたはバイエルその他医療用薬液収納容器（以下、「アンプルまたはバイエルその他医療用薬液収納容器」を「アンプル等」という）１、該アンプル等１に収納された薬液のデータが記録されたＩＣチップ２、ＩＣチップ２をアンプル等１に取り付けて保持するためのタグシート３及び、ＩＣチップカバーフィルム４からなり、
タグシート３は中心部に円形のミシン目を有する部分８、その周囲４方にそれぞれ裏面に粘着剤塗布層５が設けられた矩形部分９及び、隣接する矩形部分と矩形部分との間の空間の一つに、中心部の円形ミシン目部分８に接続した剥離可能な把手６が形成され、
ＩＣチップ２は該円形のミシン目部分８と、ＩＣチップカバーフィルム４に設けられたディンプル７との間に挿入され、ＩＣチップカバーフィルム４のディンプルの周囲内面の円環状部分に塗布された粘着剤塗布層５とによって封入された状態に保持され、
アンプル等１に収納された薬液の使用後、把手６に接続した円形のミシン目部分８を剥離してＩＣチップ２を取り出し、次に使用するアンプル等１のデータに書き換えた後、次に使用するアンプル等１のタグシート３に挿入して再使用することにより、同一のＩＣチップ２が複数回使用可能となる、アンプルその他薬液収納容器の医療情報保持用タグシート。
【請求項２】
タグシート３の矩形部分９裏面の粘着剤塗布層５を介して、タグシート保持用剥離シート１０を貼付してなる、請求項１記載のアンプルその他薬液収納容器の医療情報保持用タグシート。
【請求項３】
ＩＣチップカバーフィルム４に設けられたディンプル７の内面に、粘着剤塗布層５を設けてなる請求項１または請求項２記載の、アンプルその他薬液収納容器の医療情報保持用タグシート。
【請求項４】
請求項１〜３の何れかの１項に記載の、アンプルその他薬液収納容器の情報保持用タグシートを、規則的に配列して粘着させることが可能なロール状剥離シート原紙。
【請求項５】
請求項４記載のロール状剥離シート原紙の、個々の円形ミシン目部分８にＩＣチップ２を挿入後、ＩＣチップカバーフィルム４でカバーし、更にタグシート中心の円形部分から四方へ伸びた矩形部分９の裏面の粘着剤塗布層５を介して、ＩＣチップ保持部分８をロール状剥離シート原紙に貼付せしめてなる、アンプルその他薬液収納容器及び医療情報保持用タグシートを貼付してなるロール。